(57)【要約】【課題】装置に関する情報を適切に表示することができる操作表示ユニットおよび、この操作表示ユニットを有する画像形成装置を提供する。【解決手段】第１操作部８１は、第２操作部８６の上方に設けられており、表示部８２を有している。表示部８２は、いわゆる液晶ディスプレイであり、指や専用のペンで画面に触れることによって画面上の位置を指定できる「タッチパネル」としての機能を有している。案内部８５は、第２操作部８６に対して第１操作部８１を、矢印ＡＲ１方向に沿って進退させる。制御部９０は、排紙部５０の下方に設けられており、画像形成装置１の各要素の動作制御、およびデータ演算を実現する。例えば、制御部９０は、案内部８５による案内動作と、複数の入力ボタン８４ａにより実現される機能、および複数の入力キー８９により実現される機能と、に連動して、テンキー８３ａに対応する領域の表示内容を変更する。【選択図】図３
2013117894.tif 000002
【特許請求の範囲】
【請求項１】
操作表示ユニットであって、
(a) 表示部を有するとともに、前記表示部に表示された第１入力部に触れることによって、前記第１入力部の表示内容に応じた処理を実行させる第１操作部と、
(b) 前記第１操作部の下方に設けられており、前記第１操作部が前記案内部により案内されることによって視認可能となる第２入力部、を有する第２操作部と、
(c) 前記第２操作部に対して前記第１操作部を、案内方向に沿って相対的に進退させる案内部と、
(d) 前記案内部による案内動作と、前記第１および第２入力部の機能と、に連動して、前記第１入力部の表示内容を変更する表示制御部と、
を備え、
前記第１および第２入力部が同種の第１機能を有する場合、前記表示制御部は、前記案内動作に連動して、
(i) 前記表示内容を変更するとともに、
(ii)  前記第１入力部に割り付けられた機能を、第１機能から第２機能に、
それぞれ変更することを特徴とする操作表示ユニット。
【請求項２】
請求項１に記載の操作表示ユニットにおいて、
前記第１および第２入力部が同種の第１機能を有する場合、前記表示制御部は、前記表示内容を修正することを特徴とする操作表示ユニット。
【請求項３】
請求項１に記載の操作表示ユニットにおいて、
前記第１および第２入力部が同種の第１機能を有する場合、前記表示制御部は、前記表示内容を削除することを特徴とする操作表示ユニット。
【請求項４】
請求項１から請求項３のいずれかに記載の操作表示ユニットにおいて、
前記表示制御部により変更された変更後の前記表示内容と、前記第２機能と、は、使用者により任意に設定できることを特徴とする操作表示ユニット。
【請求項５】
請求項１から請求項４のいずれかに記載の操作表示ユニットにおいて、
前記表示部は、タッチパネル機能を有するとともに、
前記第１入力部は、ソフトキーであり、
前記第２入力部は、ハードキーであることを特徴とする。操作表示ユニット。
【請求項６】
請求項１から請求項５のいずれかに記載の操作表示ユニットと、
静電潜像に基づいたトナー像を記録材に記録する記録ユニットと、
を備えることを特徴とする画像形成装置。
【発明の詳細な説明】
【技術分野】
【０００１】
本発明は、操作表示ユニットおよび、この操作表示ユニットを有する画像形成装置に関する。
【背景技術】
【０００２】
従来、操作キー表示部をスライドさせることに対応させて、操作キー表示部の表示内容、および機能を切り替える技術が、知られている（例えば、特許文献１）。
【０００３】
また、タッチパネルと固定操作部との両方を搭載するとともに、固定操作部が表面に露出した状態を検知した場合にはタッチパネルに表示される各可視情報（仮想ボタン）の表示位置を変更する技術が、知られている（例えば、特許文献２）。
【０００４】
また、第１の筐体がスライドさせられた時に、第２の筐体側の入力部を露出させる技術が、知られている（例えば、特許文献３）。
【０００５】
さらに、下段テンキーケースと、中段フルキーケースと、上段表示部ケース１３と、の３段重ねのケース構造とした携帯電子機器も、従来知られている（例えば、特許文献４）。
【先行技術文献】
【特許文献】
【０００６】
【特許文献１】特開平０９−０３６９３５号公報
【特許文献２】特開２００９−２３０７６５号公報
【特許文献３】特開２０１０−０７３０６８号公報
【特許文献４】特開２００７−１７９５２５号公報
【発明の概要】
【発明が解決しようとする課題】
【０００７】
ここで、特許文献１から４の技術では、異なった入力部のそれぞれによって、同一機能を実現できる場合がある。例えば、特許文献３において、第１の筐体に設けられたカーソルスティックと、第２の筐体に設けられたカーソルキーと、は同一の機能を実現する。
【０００８】
このように、複数の入力部のそれぞれで同一機能が実現できる場合、複数の入力部のうちの一があれば十分である。すなわち、表示部および操作部に不要な領域を確保することになる。その結果、装置（ユニット）が大型化するという問題が生ずる。
【０００９】
そこで、本発明では、装置に関する情報を適切に表示することができる操作表示ユニットおよび、この操作表示ユニットを有する画像形成装置を提供することを目的とする。
【課題を解決するための手段】
【００１０】
上記の課題を解決するため、請求項１の発明は、操作表示ユニットであって、表示部を有するとともに、前記表示部に表示された第１入力部に触れることによって、前記第１入力部の表示内容に応じた処理を実行させる第１操作部と、前記第１操作部の下方に設けられており、前記第１操作部が前記案内部により案内されることによって視認可能となる第２入力部、を有する第２操作部と、前記第２操作部に対して前記第１操作部を、案内方向に沿って相対的に進退させる案内部と、前記案内部による案内動作と、前記第１および第２入力部の機能と、に連動して、前記第１入力部の表示内容を変更する表示制御部とを備え、前記第１および第２入力部が同種の第１機能を有する場合、前記表示制御部は、前記案内動作に連動して、前記表示内容を変更するとともに、前記第１入力部に割り付けられた機能を、第１機能から第２機能に、それぞれ変更することを特徴とする。
【００１１】
また、請求項２の発明は、請求項１に記載の操作表示ユニットにおいて、前記第１および第２入力部が同種の第１機能を有する場合、前記表示制御部は、前記表示内容を修正することを特徴とする。
【００１２】
また、請求項３の発明は、請求項１に記載の操作表示ユニットにおいて、前記第１および第２入力部が同種の第１機能を有する場合、前記表示制御部は、前記表示内容を削除することを特徴とする。
【００１３】
また、請求項４の発明は、請求項１から請求項３のいずれかに記載の操作表示ユニットにおいて、前記表示制御部により変更された変更後の前記表示内容と、前記第２機能と、は、使用者により任意に設定できることを特徴とする。
【００１４】
また、請求項５の発明は、請求項１から請求項４のいずれかに記載の操作表示ユニットにおいて、前記表示部は、タッチパネル機能を有するとともに、前記第１入力部は、ソフトキーであり、前記第２入力部は、ハードキーであることを特徴とする。
【００１５】
また、請求項６の発明は、請求項１から請求項５のいずれかに記載の操作表示ユニットと、静電潜像に基づいたトナー像を記録材に記録する記録ユニットとを備えることを特徴とする。
【発明の効果】
【００１６】
請求項１から請求項６に記載の発明によれば、第１および第２入力部が同種の第１機能を有する場合、表示制御部は、案内部の案内動作に連動して、
(i) 第１入力部の表示内容を変更するとともに、
(ii)  第１入力部の機能を、別の機能に変更する。
【００１７】
これにより、第２入力部が視認可能な状態になった場合に、第１および第２入力部に重複した機能が割り当てられ、表示部に不要な領域が確保されることを防止できる。そのため、ユニットが大型化することを抑制できる。
【００１８】
また、上述のように、案内動作に連動して、第１入力部に対してさらに別の機能を割り付けることができる。そのため、使用者の利便性をさらに向上させることができる。
【図面の簡単な説明】
【００１９】
【図１】本発明の実施の形態における画像形成装置の全体構成の一例を示す正面斜視図である。
【図２】操作表示ユニットの構成の一例を示す平面図である。
【図３】操作表示ユニットの構成の一例を示す平面図である。
【図４】制御部による表示内容の変更手順を説明するためのフローチャートである。
【発明を実施するための形態】
【００２０】
以下、図面を参照しつつ本発明の実施の形態について詳細に説明する。
【００２１】
＜１．画像形成装置および操作表示部の構成＞
図１は、本発明の実施の形態における画像形成装置１の全体構成の一例を示す正面斜視図である。図２および図３は、操作表示ユニット８０の構成の一例を示す平面図である。ここで、画像形成装置１は、複写機、プリンター、ファクシミリ、およびこれらの機能を複合的に有するものである。図１に示すように、画像形成装置１は、主として、画像形成部１０と、給紙部３０と、排紙部５０と、スキャナー部６０と、操作表示ユニット８０と、制御部９０と、を有している。
【００２２】
画像形成部１０は、電子写真方式によって、静電潜像に基づいたトナー像を記録材に記録する記録ユニットである。これにより、給紙部３０から供給される記録材には、モノクロ画像またはカラー画像が印刷される。図１に示すように、給紙部３０の上部に設けられている。
【００２３】
給紙部３０は、主として、一または複数（本実施の形態では３つ）の給紙トレイ３１を有している。各給紙トレイ３１は、複数の記録材を収容可能な収容部である。給紙部３０は、給紙トレイ３１内に収容された各記録材を、最上層のものから順に、繰り出す。そして、給紙部３０は、給紙トレイ３１から１枚ずつ繰り出された記録材を画像形成部１０に供給する。
【００２４】
排紙部５０は、画像形成部１０によりトナー像が印刷された記録材を、本体１ａ外に排紙する。図１に示すように、排紙部５０は、画像形成部１０の上部に設けられている。
【００２５】
スキャナー部６０は、自動給紙（ＡＤＦ：Automatic Document Feeder）方式、または、フラットベッド（Flat Bed）方式によって、原稿から画像を読み取る。図１に示すように、スキャナー部６０は、排紙部５０の上方に配置されており、主として、原稿給送部６１と、原稿載置部６２と、読取部６３と、を有している。
【００２６】
原稿給送部６１は、自動給紙方式が採用されており、読取部６３に対して原稿を搬送させつつ、原稿の各部で反射された反射光を読取部６３に読み取らせることによって、原稿の画像を取得させる。
【００２７】
原稿載置部６２は、フラットベッド方式による画像読取に使用される。図１に示すように、原稿載置部６２は、原稿給送部６１の下方に配置されている。例えば、原稿載置部６２に対して原稿給送部６１が開閉されることによって、読取対象となる原稿が、原稿載置部６２に載置される。そして、原稿で反射され、原稿載置部６２を透過した光が、読取部６３で読み取られることによって、原稿の画像が取得される。
【００２８】
読取部６３は、いわゆる画像入力部であり、原稿上の画像を読み取る。図１に示すように、読取部６３は、原稿給送部６１および原稿載置部６２の下方に設けられている。読取部６３で読み取られた画像データは、例えばＪＰＥＧ方式に圧縮され、画像メモリ（図示省略）に記憶される。
【００２９】
操作表示ユニット８０は、画像形成装置１に関する情報を表示するとともに、画像形成装置１の使用者（以下、単に、「使用者」とも呼ぶ）が行った入力動作を受け付ける。図２および図３に示すように、操作表示ユニット８０は、主として、第１および第２操作部８１、８６と、案内部８５と、を有している。
【００３０】
第１操作部８１は、第２操作部８６の上方に設けられており、図２および図３に示すように、キーパッドにより構成された複数の操作キー８１ａと、表示部８２と、を有している。表示部８２は、いわゆる液晶ディスプレイであり、指や専用のペンで画面に触れることによって画面上の位置を指定できる「タッチパネル」としての機能を有している。
【００３１】
これにより、使用者は、表示部８２に表示された内容（例えば、図２の場合、テンキー８３ａ）に触れることによって、表示内容に応じた処理を実行させることができる。例えば、使用者は、テンキー８３ａに含まれる複数の入力ボタン８４ａ（さらに具体的には数字ボタン：ソフトキー）により指定された枚数分の印刷処理を、実行することができる。
【００３２】
案内部８５は、第２操作部８６に対して第１操作部８１を、矢印ＡＲ１方向(案内方向：図３参照）に沿って進退させる。なお、案内部８５の案内動作は、ガイドレール等の公知の技術によって実現できる。
【００３３】
第２操作部８６は、第１操作部８１の下方に設けられている。図３に示すように、第２操作部８６は、第１操作部８１が案内部８５により案内されることによって視認可能となるテンキー８８（第２入力部）を有している。
【００３４】
したがって、案内動作によりテンキー８８が視認可能となっている場合、使用者は、テンキー８８に含まれる複数の入力キー８９（さらに具体的には数字キー：図３参照）により指定され枚数分の印刷処理を、実行することができる。
【００３５】
制御部９０は、図１に示すように、排紙部５０の下方に設けられており、画像形成装置１の各要素の動作制御、およびデータ演算を実現する。例えば、制御部９０は、（１）案内部８５による案内動作と、（２）複数の入力ボタン８４ａ（テンキー８３ａに対応）により実現される機能、および複数の入力キー８９（テンキー８８に対応）により実現される機能と、に連動して、テンキー８３ａに対応する領域の表示内容を変更する。
【００３６】
ここで、本実施の形態において、複数の入力ボタン８４ａおよび複数の入力キー８９は、いずれも、数字データを画像形成装置１に入力するという同種の機能を有している。そして、第１操作部８１が、案内部８５により移動させられ、第２操作部８６のテンキー８８が視認可能とされると、制御部９０は、テンキー８３ａに対応する領域の表示内容を変更する。この場合、制御部９０は、この「変更」として、この領域の表示内容を「修正」しても良いし、この領域の変更前の表示内容を「削除」しても良い。
【００３７】
このように、制御部９０は、複数の入力ボタン８４ａおよび複数の入力キー８９が同種の機能（第１機能）を有する場合、案内部８５の案内動作に連動してテンキー８３ａに対応する領域（第１入力部）の表示内容を、領域８３ｂ（図３参照）のように変更する。また、表示内容が変更された領域８３ｂ（変更後の入力ボタン８４ｂが表示された領域）に割り付けられた機能を、テンキー機能から別の機能（第２機能）に変更する。
【００３８】
なお、本実施の形態において、制御部９０により変更された変更後の表示内容と、第２機能とは、使用者により任意に設定できる。
【００３９】
＜２．制御部による表示内容の変更手順＞
図４は、制御部９０による表示内容の変更手順を説明するためのフローチャートである。図４に示すように、案内部８５により第１操作部８１が移動させられ、第２操作部８６のテンキー８８が視認可能となると（Ｓ１０１）、制御部９０は、第１操作部８１の表示部８２にテンキー８３ａが表示されているか否かを確認する。
【００４０】
ステップＳ１０２において、表示部８２にテンキー８３ａが表示されていないと判断される場合には、変更手順が終了する。一方、表示部８２にテンキー８３ａが表示されていると判断される場合には、制御部９０は、表示部８２に表示すべき内容が使用者により定義されているか否かを確認する（Ｓ１０３）。
【００４１】
使用者により表示すべき内容が定義されていると判断される場合、制御部９０は、表示部８２の入力ボタン８４ａを使用者定義の入力ボタン８４ｂに変更し（Ｓ１０４）、変更手順が終了する。一方、定義されていないと判断される場合、制御部９０は、予め定義されたデフォルトボタン（例えば、文字入力ボタン）に変更し（Ｓ１０５）、変更手順が終了する。
【００４２】
＜３．本実施の形態における画像形成装置の利点＞
以上のように、画像形成装置１において、複数の入力ボタン８４ａ、および複数の入力キー８９が、同種の第１機能を有する場合、制御部９０は、案内部８５の案内動作に連動して、
(i) テンキー８３ａに対応する領域の表示内容を変更するとともに、
(ii)  表示内容が変更された領域８４ｂの機能を、別の機能に変更する。
【００４３】
これにより、テンキー８８が視認可能な状態になった場合、複数の入力ボタン８４ａおよび複数の入力キー８９に重複した機能が割り当てられ、その結果、表示部８２に不要な領域が確保されることを防止できる。そのため、操作表示ユニット８０が大型化することを抑制できる。
【００４４】
また、案内部８５の案内動作に連動して、表示内容が変更された領域８４ｂに対してさらに別の機能を割り付けることができる。そのため、使用者の利便性をさらに向上させることができる。
【００４５】
＜４．変形例＞
本実施の形態において、第２操作部８６に対して第１操作部８１が進退するものとして説明したが、これに限定されるものでない。例えば、第１操作部８１に対して第２操作部８６が進退しても良いし、第１および第２操作部８１、８６の両者が進退しても良い。すなわち、第１操作部８１は、第２操作部８６に対して相対的に進退すれば良い。
【符号の説明】
【００４６】
１  画像形成装置
１０  画像形成部(記録ユニット）
３０  給紙部
５０  排紙部
６０  スキャナー部
８０  操作表示ユニット
８１  第１操作部
８２  表示部８２  名詞
８３ａ  テンキー（第１入力部）
８３ｂ  領域（第１入力部）
８４ａ、８４ｂ  入力ボタン
８５  案内部
８６  第２操作部
８８  テンキー（第２入力部）
８９  入力キー
９０  制御部（表示制御部）
【図１】
2013117894.tif 000003
【図２】
2013117894.tif 000004
【図３】
2013117894.tif 000005
【図４】
2013117894.tif 000006